(57)【要約】【課題】ユーザの所望の色再現に応じた色補正プロファイルの生成が容易な色補正プロファイル生成方法、色補正プロファイル生成装置、色補正プロファイル生成プログラム、及びディジタル画像データの構造を提供する。【解決手段】特定のシーンを表すディジタル画像とカラーチャート画像とが一体化されている色補正プロファイル生成用画像に他の画素との関係を考慮せずに画素の色を補正する色補正処理を施す色補正段階と、前記色補正処理を施す前の前記カラーチャート画像の各色を表す画素値に、前記色補正処理を施した後の前記カラーチャート画像の各色を表す画素値を対応付ける色補正プロファイルを生成する生成段階と、を含む色補正プロファイル生成方法。【選択図】図１
2007258868.tif 000002
【特許請求の範囲】
【請求項１】
特定のシーンを表すディジタル画像とカラーチャート画像とが一体化されている色補正プロファイル生成用画像に他の画素との関係を考慮せずに画素の色を補正する色補正処理を施す色補正段階と、
前記色補正処理を施す前の前記カラーチャート画像の各色を表す画素値に、前記色補正処理を施した後の前記カラーチャート画像の各色を表す画素値を対応付ける色補正プロファイルを生成する生成段階と、
を含む色補正プロファイル生成方法。
【請求項２】
前記色補正処理は記憶色を補正する処理である請求項１に記載の色補正プロファイル生成方法。
【請求項３】
前記カラーチャート画像を表すカラーチャートデータは３つの画素成分からなる画素値で色を表す色空間で表現されているデータであり、前記カラーチャート画像は各前記画素成分を座標軸とする３次元空間上の立方体として表現した前記色空間の各頂点に対応する８つの色を含んでいる請求項１又は２に記載の色補正プロファイル生成方法。
【請求項４】
前記色空間はｓＲＧＢ色空間であり、前記各頂点はそれぞれ赤、緑、青、シアン、マゼンタ、黄、黒及び白に対応する請求項３に記載の色補正プロファイル生成方法。
【請求項５】
前記色補正処理を施した後の前記カラーチャート画像の色空間を絶対色空間に変換する色空間変換段階を更に含み、
前記生成段階において、前記色補正処理を施す前の前記カラーチャート画像の各色を表す画素値に、前記色空間変換段階で前記絶対色空間に変換された後の前記カラーチャート画像の各色を表す画素値を対応付ける前記色補正プロファイルを生成する請求項１〜４のいずれか一項に記載の色補正プロファイル生成方法。
【請求項６】
特定のシーンを表すディジタル画像とカラーチャート画像とが一体化されている色補正プロファイル生成用画像と、他の画素との関係を考慮せずに画素の色を補正する色補正処理を施した後の前記色補正プロファイル生成用画像とを取得する取得手段と、
前記色補正処理を施す前の前記カラーチャート画像の各色を表す画素値に、前記色補正処理を施した後の前記カラーチャート画像の各色を表す画素値を対応付ける色補正プロファイルを生成する生成手段と、
を備える色補正プロファイル生成装置。
【請求項７】
特定のシーンを表すディジタル画像とカラーチャート画像とが一体化されている色補正プロファイル生成用画像と、他の画素との関係を考慮せずに画素の色を補正する色補正処理を施した後の前記色補正プロファイル生成用画像とを取得する取得手段と、
前記色補正処理を施す前の前記カラーチャート画像の各色を表す画素値に、前記色補正処理を施した後の前記カラーチャート画像の各色を表す画素値を対応付ける色補正プロファイルを生成する生成手段としてコンピュータを機能させる色補正プロファイル生成プログラム。
【請求項８】
ディジタル画像を表す画像データと、
カラーチャート画像を表すカラーチャートデータと、
を含むディジタル画像データの構造。
【発明の詳細な説明】
【技術分野】
【０００１】
本発明は、色補正プロファイル生成方法、色補正プロファイル生成装置、色補正プロファイル生成プログラム、及びディジタル画像データの構造に関する。
【背景技術】
【０００２】
従来、複数種の色再現に応じた色変換テーブルのうちユーザの所望する色再現に応じた色変換テーブル（色補正プロファイルに相当）を用いることにより、ユーザの所望する色再現に応じた画像を簡便に得る画像処理装置が知られている（例えば、特許文献１参照）。
しかしながら、特許文献１には、所望の色再現に応じた色変換テーブルをどのように生成するかについて開示されていない。
【０００３】
【特許文献１】特開２００３−３２４６２０号公報
【発明の開示】
【発明が解決しようとする課題】
【０００４】
本発明は、上述の問題を解決するために創作されたものであって、ユーザの所望の色再現に応じた色補正プロファイルの生成が容易な色補正プロファイル生成方法、色補正プロファイル生成装置、色補正プロファイル生成プログラム、及びディジタル画像データの構造を提供することを目的とする。
【課題を解決するための手段】
【０００５】
（１）上記目的を達成するための色補正プロファイル生成方法は、特定のシーンを表すディジタル画像とカラーチャート画像とが一体化されている色補正プロファイル生成用画像に他の画素との関係を考慮せずに画素の色を補正する色補正処理を施す色補正段階と、前記色補正処理を施す前の前記カラーチャート画像の各色を表す画素値に、前記色補正処理を施した後の前記カラーチャート画像の各色を表す画素値を対応付ける色補正プロファイルを生成する生成段階と、を含む。
色補正プロファイル生成用画像に一体化されているディジタル画像が表すシーンと同じシーンを表す補正対象のディジタル画像の画素値を本発明の色補正プロファイルに従って置換すると、上述した色補正処理を施した場合と同等の効果を当該補正対象のディジタル画像に与えることができる。ディジタル画像とカラーチャート画像とを一体化すると、ディジタル画像とカラーチャート画像とで一つのディジタル画像として扱われるので、ディジタル画像に施す色補正処理はカラーチャート画像にも施される。従って、色補正プロファイルを生成するとき、ユーザは色補正プロファイル生成用画像に一体化されているディジタル画像が所望の色再現になるように色補正処理を施す操作を行えば、同じ色補正処理がカラーチャート画像にも施されるので、ユーザはカラーチャート画像に改めて同じ色補正処理を施す操作を行う必要はない。よって本発明によると、ユーザの所望の色再現に応じた色補正プロファイルを容易に生成できる。
【０００６】
（２）前記色補正処理は記憶色を補正する処理であってもよい。
本発明によると、記憶色を補正できる色補正プロファイルを生成できる。
【０００７】
（３）前記カラーチャート画像を表すカラーチャートデータは３つの画素成分からなる画素値で色を表す色空間で表現されているデータであり、前記カラーチャート画像は各前記画素成分を座標軸とする３次元空間上の立方体として表現した前記色空間の各頂点に対応する８つの色を含んでいてもよい。
本発明によると、立方体のいずれの位置にある色についても色補正処理が施された後の画素値を補間によって求めることができる。
【０００８】
（４）前記色空間はｓＲＧＢ色空間であり、前記各頂点はそれぞれ赤、緑、青、シアン、マゼンタ、黄、黒及び白に対応してもよい。
【０００９】
（５）前記色補正処理を施した後の前記カラーチャート画像の色空間を絶対色空間に変換する色空間変換段階を更に含み、前記生成段階において、前記色補正処理を施す前の前記カラーチャート画像の各色を表す画素値に、前記色空間変換段階で前記絶対色空間に変換された後の前記カラーチャート画像の各色を表す画素値を対応付ける前記色補正プロファイルを生成してもよい。
本発明によると、ディジタル画像の色を補正する処理とディジタル画像の色空間を絶対色空間に変換する処理とを一度に行えるので、それら２つの処理を効率よく行える。
【００１０】
（６）上記目的を達成するための色補正プロファイル生成装置は、特定のシーンを表すディジタル画像とカラーチャート画像とが一体化されている色補正プロファイル生成用画像と、他の画素との関係を考慮せずに画素の色を補正する色補正処理を施した後の前記色補正プロファイル生成用画像とを取得する取得手段と、前記色補正処理を施す前の前記カラーチャート画像の各色を表す画素値に、前記色補正処理を施した後の前記カラーチャート画像の各色を表す画素値を対応付ける色補正プロファイルを生成する生成手段と、を備える。
本発明によると、色補正プロファイルを容易に生成できる。
【００１１】
（７）上記目的を達成するための色補正プロファイル生成プログラムは、特定のシーンを表すディジタル画像とカラーチャート画像とが一体化されている色補正プロファイル生成用画像と、他の画素との関係を考慮せずに画素の色を補正する色補正処理を施した後の前記色補正プロファイル生成用画像とを取得する取得手段と、前記色補正処理を施す前の前記カラーチャート画像の各色を表す画素値に、前記色補正処理を施した後の前記カラーチャート画像の各色を表す画素値を対応付ける色補正プロファイルを生成する生成手段としてコンピュータを機能させる。
本発明によると、色補正プロファイルを容易に生成できる。
【００１２】
（８）上記目的を達成するためのディジタル画像データの構造は、ディジタル画像を表す画像データと、カラーチャート画像を表すカラーチャートデータと、を含む。
本発明の構造を採用したディジタル画像データを色補正プロファイルの生成に用いると、色補正プロファイルを容易に生成できる。
【００１３】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。また、請求項に記載された方法の各動作の順序は、技術上の阻害要因がない限り、記載順に限定されるものではなく、どのような順番で実行されてもよく、また同時に実行されてもよい。
【発明を実施するための最良の形態】
【００１４】
以下、本発明の実施の形態を実施例に基づいて説明する。
図２は、本発明の一実施例に係る色補正プロファイル生成装置としてのパーソナルコンピュータ（ＰＣ）１０のハードウェア構成を示すブロック図である。
ＣＰＵ２１はＲＯＭ２２や外部記憶部２７に記憶されているプログラムを実行してＰＣ１０の全体を制御する。また、ＣＰＵ２１は色補正プロファイル生成プログラムを実行することによって取得手段および生成手段としても機能する。ＲＯＭ２２は各種のプログラムやデータを予め記憶しているメモリであり、ＲＡＭ２３は各種のプログラムやデータを一時的に記憶するメモリである。これら各種のプログラムやデータは所定のサーバから通信ネットワークを介してダウンロードして入力してもよいし、リムーバブルメモリ３３などから読み出して入力してもよい。
【００１５】
ディスプレイコントローラ２４は、ＣＰＵ２１に制御され、ＣＲＴ（Cathode Ray Tube）、ＬＣＤ（Liquid Crystal Display）、ＦＰＤ（Flat Panel Display）などのディスプレイ３１にディジタル画像を表示させる。
インタフェース部２５は、イメージスキャナなどの外部システムと通信するためのＵＳＢコントローラ、ＵＳＢコネクタなどを備える。通信規格はＵＳＢに限らず、ＩＥＥＥ１３９４、赤外線、イーサネット（登録商標）などのいかなる規格でもよい。
【００１６】
リムーバブルメモリコントローラ（ＲＭＣ）２６は、図示しないコネクタを介してリムーバブルメモリ３３に接続され、リムーバブルメモリ３３とＲＡＭ２３との間でデータ転送を制御する。リムーバブルメモリ３３はカード型フラッシュメモリ（所謂メモリカード）でもよいし、その他の繰り返し書き込み可能ないかなる不揮発性記憶媒体であってもよい。例えばディジタルスチルカメラ（ＤＳＣ）３４で生成されたディジタル画像はリムーバブルメモリ３３を介してＰＣ１０に入力される。
【００１７】
外部記憶部２７は、ハードディスクやハードディスクコントローラなどで構成され、オペレーティングシステム（ＯＳ）、色補正プロファイル生成プログラム、一般にレタッチソフトと呼ばれる対話型の画像編集プログラム、色補正プロファイル生成用画像、ＤＳＣのプロファイル、プリンタのプロファイル、その他各種のプログラムやデータなどが記憶されている。
操作部２８は、キーボード２９が接続されるキーボードコントローラや図示しないマウスが接続されるマウスコントローラなどで構成されている。
【００１８】
次に、特定のシーンを表すディジタル画像とカラーチャート画像とが一体化されている色補正プロファイル生成用画像について説明する。
図３（Ａ）および図３（Ｂ）は、色補正プロファイル生成用画像の一例を示す模式図である。ディジタル画像４１および４２はＤＳＣで特定のシーンを撮像して、あるいはイメージスキャナで特定のシーンを表す原稿を読み取って生成されたものである。シーンは任意のシーンであってよい。カラーチャート画像４３は色票を系統的に配列したものであり、図３の複数の枠４４はそれぞれ特定の色で塗り潰されている。なお、図中では一つを除いて枠の符号は省略している。
【００１９】
ディジタル画像４１および４２、並びにカラーチャート画像４３は一般の画像編集プログラムで扱えるようにｓＲＧＢ色空間で表現されている。ｓＲＧＢ色空間を図４に示すようにＲ成分、Ｇ成分およびＢ成分を座標軸とする３次元空間上の立方体として表現した場合、立方体の８つの頂点はそれぞれ赤、緑、青、シアン、マゼンタ、黄、黒及び白に対応する。カラーチャート画像４３には少なくともそれら８色が含まれている。それら８色をカラーチャート画像４３に含めると、立方体のいずれの位置にある色についても色補正処理を施した後の画素値をそれら８色の画素値とそれら８色の補正後の画素値とを用いた補間によって求めることができるので、カラーチャート画像４３に持たせる色の数を低減できる。
【００２０】
ただし、色補正プロファイルによる色補正の精度を向上させるにはより多くの色をカラーチャート画像４３に持たせることが望ましい。このためカラーチャート画像４３には上述した８色以外の色も含まれている。それらの色は上述した８色以外の色から偏りなく選択された色である。しかしながら、色の数が多いと生成する色補正プロファイルのデータ量が増大するので、カラーチャート画像４３に持たせる色の数はデータ量と色補正の精度とのバランスを考慮して適宜選択すればよい。
【００２１】
次に、色補正プロファイルを生成する処理について説明する。
人の肌の色、空の色、木々の葉の色、夕焼けの色、海の色などは実際に見た色よりも鮮やかな色彩に想起されることが多い。このように実際の色と想起される色とが異なる色のことを一般に記憶色という。ここでは記憶色である人の肌の色を補正するための色補正プロファイルを例に説明する。
【００２２】
図５は、色補正プロファイルを生成する処理を説明するためのデータフロー図である。各プロセスは画像編集プログラム及び色補正プロファイル生成プログラムを実行するＣＰＵ２１によって実行される。
色補正プロセス５１は、画像編集プログラムを実行して色補正プロファイル生成用画像に色補正処理を施すプロセスである。画像編集プログラムとしては例えばレタッチソフトと呼ばれる市販のプログラムを用いることができる。色補正処理は、例えば補正する色の範囲と補正後の色の範囲とをユーザが指定し、補正する色の範囲に含まれる色を補正後の色の範囲にシフトすることによって行われる。
【００２３】
例えば人の肌の色を補正する場合、補正前の肌の色の範囲と補正後の肌の色の範囲とを指定して補正前の範囲に含まれる色を補正後の範囲の色にシフトする色補正処理を施すことにより、肌の色を一括して目的の色に補正できる。色補正処理はカラーチャート画像にも施されるので、補正する色の範囲に含まれる色がカラーチャート画像にあればその色もシフトされることになる。
なお、色補正処理の具体的な方法は画像編集プログラムに依存するものであり、上述した方法に限られるものではない。例えば特定の１色を別の特定の１色に変換する処理でもよいし、ＲＧＢのバランスを補正する処理でもよい。
【００２４】
色空間変換プロセス５２は、色補正処理を施した後の色補正プロファイル生成用画像に所定の色空間変換行列を適用して色補正プロファイル生成用画像の色空間をｓＲＧＢ色空間からＣＩＥ  ＸＹＺ色空間やＣＩＥ  Ｌ＊ａ＊ｂ＊色空間（以下「Ｌａｂ色空間」という。）などの絶対色空間に変換するプロセスである。本実施例では後述するプリンタのプロファイルがＬａｂ色空間に対応したプロファイルなので、色空間変換プロセス５２はディジタル画像の色空間をＬａｂ色空間に変換する。ここで、色空間変換プロセス５２は、色補正プロセス５１によって色補正処理が施されて外部記憶部２７に別ファイルとして保存されている色補正プロファイル生成用画像をＲＡＭ２３にロードし、ＲＡＭ２３から読み込むことによって色補正処理を施した後の色補正プロファイル生成用画像を取得する。
【００２５】
生成プロセス５３は、図１に示すように色補正処理を施す前のカラーチャート画像の各色を表す画素値（Ｒ，Ｇ，Ｂ）に、色補正処理を施した後のカラーチャート画像の同じ位置にある色の画素値（Ｌ，ａ，ｂ）を対応付ける３次元ルックアップテーブル（３ＤＬＵＴ）を生成するプロセスである。３ＤＬＵＴは画素値（Ｒ，Ｇ，Ｂ）で特定される各格子点にＬａｂ色空間の変換先の画素値（Ｌ，ａ，ｂ）を対応付けているテーブルである。３ＤＬＵＴは特許請求の範囲に記載の「色補正プロファイル」に相当する。なお、色補正処理を施す前の画素値（Ｒ，Ｇ，Ｂ）と色補正処理を施した後の画素値（Ｌ，ａ，ｂ）との間に線形関係がある場合は画素値（Ｒ，Ｇ，Ｂ）を画素値（Ｌ，ａ，ｂ）に線形変換する行列を色補正プロファイルとして生成してもよい。ここで、生成プロセス５３は、外部記憶部２７から色補正処理を施す前の色補正プロファイル生成用画像をＲＡＭ２３にロードし、ＲＡＭ２３から読み込むことによって色補正処理を施す前の色補正プロファイル生成用画像を取得する。
【００２６】
人の肌の色を補正した場合、カラーチャート画像の中に補正前の肌の色の範囲に含まれる色があれば、カラーチャート画像の中の当該色も補正後の色の範囲にシフトされる。このため、色補正処理が施される前のカラーチャート画像の各色を表す画素値に色補正処理を施した後のカラーチャート画像の各色の画素値を対応付け、人物が写されている任意のディジタル画像の色を対応付けに従って置換すると、当該任意のディジタル画像に写されている人物の肌の色を補正できる。人物が主体の人物シーンを表すディジタル画像には人物の肌が写されているはずなので、肌の色を補正して生成した色補正プロファイルは、人物が主体の人物シーン用の色補正プロファイルとして用いることができる。
【００２７】
以上の説明では記憶色として人の肌の色を例に説明したが、記憶色は空の色、木々の葉の色、夕焼けの色、夜景の色、海の色などのように任意の記憶色であってよい。例えば空の色や木々の葉の色を補正して生成したプロファイルは、風景が主体の風景シーン用の色補正プロファイルとして用いることができる。色補正プロファイルを用いた記憶色の補正は、ディジタル画像をサンプリングして記憶色を補正する従来の処理に比べて少ない処理量で補正できるので、各シーンに応じて色補正プロファイルを予め生成しておくことにより、各シーンの特徴的な記憶色を短時間に補正できる。
【００２８】
次に、色補正プロファイルを用いて記憶色を補正する処理の一例について説明する。ここではＤＳＣとプリンタとの間でカラーマッチングを行う処理を例に説明する。
図６はＤＳＣとプリンタとの間でカラーマッチングを行う処理の流れを示すフローチャートであり、図７はカラーマッチングにおいて用いられるプロファイルを示す模式図である。
【００２９】
Ｓ１０５では、ＣＰＵ２１はＤＳＣで撮像されたディジタル画像に当該ＤＳＣのプロファイルを適用することにより、ディジタル画像の色空間をＤＳＣに固有の色空間からＰＣＳ（Ｐｒｏｆｉｌｅ  Ｃｏｎｎｅｃｔｉｏｎ  Ｓｐａｃｅ）に変換する。ＰＣＳとしてはＸＹＺ色空間やＬａｂ色空間などの絶対色空間を用い得るが、ここではＸＹＺ色空間を用いる場合を例に説明する。ＤＳＣのプロファイルとは、ＤＳＣで生成したディジタル画像の色空間をＤＳＣに固有の色空間からＰＣＳに変換するための情報を格納しているデータであり、このようなプロファイルとしては例えば３ＤＬＵＴを用いて変換するＩＣＣ（International Color Consortium）プロファイルなどが公知である。なお、ＤＳＣのプロファイルは、ＤＳＣに固有の色空間で表現されているディジタル画像をＰＣＳに線形変換する変換行列であってもよい。
【００３０】
Ｓ１１０では、ＣＰＵ２１はディジタル画像に所定の色空間変換行列を適用してディジタル画像の色空間をＸＹＺ色空間からｓＲＧＢ色空間に変換する。ｓＲＧＢ色空間に変換する理由は、前述した色補正プロファイルを適用するためである。前述した色補正プロファイルはｓＲＧＢ色空間からＬａｂ色空間に変換する色補正プロファイルなので、ｓＲＧＢ色空間に変換する必要がある。
Ｓ１１５では、ＣＰＵ２１はｓＲＧＢ色空間に変換されたディジタル画像に当該ディジタル画像が表すシーンに応じた色補正プロファイルを適用する。色補正プロファイルを適用することにより、ディジタル画像の記憶色が補正されるとともに、ディジタル画像の色空間がＬａｂ色空間に変換される。
【００３１】
ただし、色補正プロファイルの適用において、ディジタル画像上に存在する色の画素値に対応する画素値が色補正プロファイル内に存在しない場合もある。その場合は直線補間や曲線補間などで色補正プロファイルを適宜補間して当該色に対応する補正後の画素値を求めればよい。
ディジタル画像が表すシーンの特定は、例えばＤＳＣでディジタル画像を撮像したときの撮像モードに基づいて行うことができる。例えばＤＳＣでは人物シーンを撮像するポートレートモードや風景シーンを撮像する風景モードなどのように被写体に応じた撮像モードを選択できるものが多く、ＤＳＣで撮像したディジタル画像が格納される標準的なファイルであるＥＸＩＦファイルには撮像モードがあわせて格納される。従って、ディジタル画像が格納されているＥＸＩＦファイルから当該ディジタル画像を撮像したときの撮像モードを取得すれば、シーンを特定できる。
【００３２】
なお、シーンの特定はユーザにシーンを指定させることによって特定してもよい。
また、ここではディジタル画像に一つの色補正プロファイルのみを適用するが、複数の色補正プロファイルを適用してもよい。例えば人物シーン用の色補正プロファイルと風景シーン用の色補正プロファイルとを適用してもよい。
【００３３】
Ｓ１２０では、ＣＰＵ２１はＬａｂ色空間で表されているディジタル画像にプリンタのプロファイルを適用してディジタル画像の色空間をプリンタ固有の色空間に変換する。
Ｓ１２５では、ＣＰＵ２１はプリンタを制御してディジタル画像を印刷する。
【００３４】
以上説明した本発明の一実施例に係る色補正プロファイル生成方法によると、ディジタル画像とカラーチャート画像とで一つのディジタル画像として扱われるので、ディジタル画像に施す色補正処理はカラーチャート画像にも施される。従って、色補正プロファイルを生成するとき、ユーザは色補正プロファイル生成用画像に一体化されているディジタル画像が所望の色再現になるように色補正処理を施す操作を行えば、同じ色補正処理がカラーチャート画像にも施されるので、ユーザはカラーチャート画像に改めて同じ色補正処理を施す操作を行う必要はない。仮にディジタル画像とカラーチャート画像とが別々であるとすると、ディジタル画像とカラーチャート画像とに同じ色補正処理を施したいとき、ユーザはディジタル画像とカラーチャート画像とにそれぞれ別々に色補正処理のための操作を行わなければならないので二度手間である。これに対し、本実施例では前述したようにカラーチャート画像に改めて同じ色補正処理を施す必要はない。よってこの色補正プロファイル生成方法によると、ユーザの所望の色再現に応じた色補正プロファイルを容易に生成できる。
【００３５】
また、本実施例の色補正プロファイルを用いると記憶色の補正に要する処理量を低減できる。例えばＰＣによる制御を必要とせず単独でディジタル画像を印刷するスタンドアロンプリンタでは比較的処理能力の低い組み込み系のＣＰＵが用いられることが多い。本実施例の色補正プロファイルを用いると、そのようなスタンドアロンプリンタでも短時間に記憶色を補正できる。
【００３６】
なお、本実施例では色補正処理として記憶色を補正する処理を例に説明したが、色補正処理は他の補正を行う処理であってもよい。例えば色補正処理はディジタル画像のＲＧＢのバランス、色相、明度、彩度、明るさ、コントラストなどを補正する処理であってもよい。これらの色補正処理はいずれも画素の色を他の画素との関係を考慮せずに補正するものである。これらの色補正処理を行って生成した色補正プロファイルを用いると、画像編集プログラムで任意のディジタル画像に当該色補正処理を行った場合と同等の効果を与えることができる。
【００３７】
ただし、画素の色を他の画素との関係を考慮して補正する処理は本実施例でいうところの色補正処理には該当しない。例えばエッジや濃淡分布を考慮して濃淡情報を補正する処理や空間フィルタを用いて補正する処理のような処理は本実施例でいうところの色補正処理には該当しない。また、幾何学的変換も本実施例でいうところの色補正処理には該当しない。画素間の関係はディジタル画像毎や画素毎に異なるので、他の画素との関係を考慮して補正する色補正処理については色補正プロファイルでは再現できないからである。
【００３８】
なお、本発明は上記実施例に限定されるものではなく、その要旨を逸脱しない範囲で種々の実施形態に適用可能である。
【図面の簡単な説明】
【００３９】
【図１】本発明の一実施例に係る模式図。
【図２】本発明の一実施例に係る色補正プロファイル生成装置のブロック図。
【図３】（Ａ）および（Ｂ）は本発明の一実施例に係る色補正プロファイル生成用画像の一例を示す模式図。
【図４】本発明の一実施例に係る色空間を示す模式図。
【図５】本発明の一実施例に係るデータフロー図。
【図６】本発明の一実施例に係るフローチャート。
【図７】本発明の一実施例に係るプロファイルの模式図。
【符号の説明】
【００４０】
１  パーソナルコンピュータ（色補正プロファイル生成装置）、４１  ディジタル画像、４２  ディジタル画像、４３  カラーチャート画像、５１  色補正プロセス（色補正段階）、５２  色空間変換プロセス（色空間変換段階）、５３  生成プロセス（生成段階）、２１  ＣＰＵ（取得手段、生成手段）
【図１】
2007258868.tif 000003
【図２】
2007258868.tif 000004
【図３】
2007258868.tif 000005
【図４】
2007258868.tif 000006
【図５】
2007258868.tif 000007
【図６】
2007258868.tif 000008
【図７】
2007258868.tif 000009